(57)【要約】【課題】緊急時に乗客等から発せられる言葉を音声言語として予め設定登録しておき、実際に発せられた音声言語を音声認識装置で正確に認識してエスカレータを誤動作少なく停止させるようにしたエスカレータの非常停止装置を得る。【解決手段】エスカレータの内側板１や天井２等の複数個所にそれぞれ設けられた複数のマイク３と、マイクからの音声を入力し、予め設定登録された特定の設定音声言語及びその設定音声言語の音量と比較、判別して、エスカレータの制御盤に停止指令を出力する音声認識装置４とを備え、音声認識装置４に予め設定登録された認識音声言語６は、緊急時に乗客等から発せられる言葉、例えば、ストップ、止まれ、止まって、危ない、キャー等の音声言語である。【選択図】図１
2009166996.tif 000002
【特許請求の範囲】
【請求項１】
エスカレータの内側板や天井等の複数個所にそれぞれ設けられた複数のマイクと、
前記マイクからの音声を入力し、予め設定登録された特定の設定音声言語及びその設定音声言語の音量と比較、判別して、エスカレータの制御盤に停止指令を出力する音声認識装置とを備え、
前記音声認識装置に予め設定登録された認識音声言語は、エスカレータが止まることを指示または期待する意味合いの音声言語であることを特徴とするエスカレータの非常停止装置。
【請求項２】
前記予め設定登録する認識音声言語は、前記音声認識装置に複数登録可能であることを特徴とする請求項１記載のエスカレータの非常停止装置。
【発明の詳細な説明】
【技術分野】
【０００１】
この発明は、緊急時に乗客等から発せられる言葉を音声言語として予め設定登録しておき、実際に発せられた音声言語を音声認識装置で正確に認識してエスカレータを誤動作少なく停止させるようにしたエスカレータの非常停止装置に関するものである。
【背景技術】
【０００２】
従来、エスカレータの非常停止ボタンの設置位置は、各メーカーや、機種毎により異なっているため、緊急時に非常停止ボタンを押して、エスカレータを非常停止させるタイミングが遅れる可能性があった。
【０００３】
また、マンコンベアの欄干附近の複数個所に設けたマイク装置と、このマイク装置からの音声信号を入力して検出する音声認識装置と、基準音声レベル信号を出力する基準音声レベル装置と、前記音声認識装置の出力と基準音声レベル装置の出力とを入力して比較し、音声認識装置の出力が基準音声レベル装置の出力より大きいとき、マンコンベアの制御装置に停止指令を出力する停止指令装置とを備えたマンコンベアの安全装置が知られている（例えば、特許文献１参照）。
【０００４】
【特許文献１】特開昭６２−２５９９８２号公報
【発明の開示】
【発明が解決しようとする課題】
【０００５】
従来のマンコンベアの安全装置では、マンコンベア稼動中に乗客が転倒するなど人身に異常が生じて悲鳴を上げると、マイク装置から音声認識装置を介した音声信号が基準音声レベル信号を越えるので、停止指令装置からマンコンベアの制御装置に対し、停止指令が出力され、マンコンベアは停止する。しかしながら、実際には、乗客に何も異常が無いにも拘らず、悪戯による音声言語や緊急発生時とは全く異なる音声言語によって、本来は緊急停止する必要が無くても、誤動作して緊急停止する可能性が大きいという問題があった。
【０００６】
この発明は、上述のような課題を解決するためになされたもので、緊急時に乗客等から発せられる言葉を音声言語として予め設定登録しておき、実際に発せられた音声言語を音声認識装置で正確に認識してエスカレータを誤動作少なく停止させるようにしたエスカレータの非常停止装置を提供するものである。
【課題を解決するための手段】
【０００７】
この発明に係るエスカレータの非常停止装置においては、エスカレータの内側板や天井等の複数個所にそれぞれ設けられた複数のマイクと、マイクからの音声を入力し、予め設定登録された特定の設定音声言語及びその設定音声言語の音量と比較、判別して、エスカレータの制御盤に停止指令を出力する音声認識装置とを備え、音声認識装置に予め設定登録された認識音声言語は、エスカレータが止まることを指示または期待する意味合いの音声言語である。
【０００８】
また、予め設定登録する認識音声言語は、音声認識装置に複数登録可能である。
【発明の効果】
【０００９】
この発明によれば、緊急時に乗客等から発せられる言葉（例えば、ストップ、止まれ、止まって、危ない、キャー等）を音声言語として予め設定登録しておき、実際に発せられた音声言語によって、音声認識装置で正確に認識してエスカレータを停止させるか否かを判断しているので、実際には、乗客に何も異常が無いにも拘らず、悪戯による音声言語や緊急発生時とは全く異なる音声言語によって、本来は緊急停止する必要が無くても、誤動作したりする不具合の可能性を著しく低下させることができる。
【発明を実施するための最良の形態】
【００１０】
実施の形態１．
図１はこの発明の実施の形態１におけるエスカレータの非常停止装置を示す全体構成図、図２はこの発明の実施の形態１におけるエスカレータの非常停止装置の音声認識装置からの停止出力を制御回路に組み入れた例を示す要部回路図である。
【００１１】
図１において、この発明の非常停止装置は、エスカレータの内側板１や天井２等の複数個所にそれぞれ設けられた複数のマイク３と、このマイク３からの音声を入力し、予め設定登録された特定の設定音声言語及びその音声言語の音量と比較、判別して、エスカレータの制御盤５に停止指令を出力する音声認識装置４とから構成されている。６は音声認識装置４に予め設定登録されている認識音声言語設定の例である。認識音声言語設定６の具体例としては、緊急時に乗客等から発せられる言葉（一例として、エスカレータが止まることを指示または期待する意味合いの言葉）、例えば、ストップ、止まれ、止まって、危ない、キャー等を本当の緊急時の音声言語及びその音声言語の音量として予め設定登録しておき、実際に発せられた乗客等の音声言語及びその音声言語の音量と比較し判断される。なお、音声認識装置４は、エスカレータの制御盤５に停止指令を出力すると判断する言葉、すなわち特定の音声言語及びその音声言語の音量を自由に設定登録することが可能である。
【００１２】
図２は音声認識装置４からの停止出力をエスカレータの制御回路に組み入れた例であり、音声認識装置４の停止指令接点８は、他の安全スイッチ７と直列に組み込み、停止指令が出たときは停止指令接点８がオープンとなり、ＵＰ運転用接触器１１又はＤＯＷＮ運転用接触器１２がＯＦＦしてエスカレータが停止する。９及び１０はエスカレータ運転方向切替用の接点で、９はＵＰ運転切替用接点、１０ＤＯＷＮ運転切替用接点である。
【００１３】
この実施の形態１によれば、エスカレータの運転中に乗客が転倒するなど人身に異常が生じる恐れのある状態になった時、乗客又は近くでそれを見た視認者が、緊急時に乗客等から発せられる言葉、例えば、「ストップ」、「止まれ」、「止まって」、「危ない」、「キャー」等と叫ぶことにより、その言葉を実際に発せられた乗客等の音声言語及びその音声言語の音量として、マイク３から音声認識装置４に入力し、予め設定登録された特定の設定音声言語とその音声言語の音量と比較、判別して、エスカレータの制御盤５に停止指令が出力され、エスカレータは停止する。
【００１４】
これにより、本当に緊急停止する必要がある場合だけ、エスカレータを緊急停止できるので、実際には、乗客に何も異常が無いにも拘らず、悪戯による音声言語や緊急発生時とは全く異なる音声言語によって、本来は緊急停止する必要が無くても、誤動作したりする不具合を解消することができる。また、音声認識装置は、エスカレータの制御盤に停止指令を出力すると判断する言葉、すなわち特定の音声言語及びその音声言語の音量を自由に設定登録することが可能である。
【図面の簡単な説明】
【００１５】
【図１】この発明の実施の形態１におけるエスカレータの非常停止装置を示す全体構成図である。
【図２】この発明の実施の形態１におけるエスカレータの非常停止装置の音声認識装置からの停止出力を制御回路に組み入れた例を示す要部回路図である。
【符号の説明】
【００１６】
１  内側板
２  天井
３  マイク
４  音声認識装置
５  制御盤
６  音声認識装置の認識音声言語設定例
７  安全スイッチ
８  音声認識装置の停止指令接点
９  ＵＰ運転切替用接点
１０  ＤＯＷＮ運転切替用接点
１１  ＵＰ運転用接触器
１２  ＤＯＷＮ運転用接触器
【図１】
2009166996.tif 000003
【図２】
2009166996.tif 000004